(57)【要約】【課題】所望の長さの繊維体を適切且つ容易に引き出す。【解決手段】収納容器付きスプール１は、スプール２と収納容器３とを備えている。スプール２は、筒状の胴部２１を有し、当該胴部２１の外周面２４に釣糸が巻回される。収納容器３は、スプール２を胴部２１の周方向に回転可能に収納する。この収納容器３には、釣糸を挿通させ外部に導出するスリットが形成されている。胴部２１の内周面２３は、軸線方向視において多角形状を呈する多角形部２６を有しており、収納容器３には、アーム４８が設けられている。このアーム４８は、収納されたスプール２の多角形部２６に当接し且つ胴部２１を外周面２４側へ付勢することにより、当該スプール２の回転を制限する。【選択図】図９
2011153031.tif 000002
【特許請求の範囲】
【請求項１】
筒状の胴部を有し、当該胴部の外周面に繊維体が巻回されるスプールと、
前記スプールを前記胴部の周方向に回転可能に収納すると共に、前記繊維体を挿通させ外部に導出する開口が形成された収納容器と、を備え、
前記胴部の内周面は、前記胴部の軸線方向視において多角形状を呈する多角形部を有し、
前記収納容器には、前記スプールの回転を制限するように、前記多角形部に当接し且つ前記胴部を前記外周面側へ付勢する弾性手段が設けられており、
前記弾性手段は、
前記周方向に沿って延びることで弾性を有するアームであって、
基端側が前記収納容器と連結される共に、前記多角形部に摺動可能に当接する摺動部を先端側に有することを特徴とする収納容器付きスプール。
【請求項２】
前記収納容器とは別の他の前記収納容器を前記軸線方向に重ねて着脱自在に連結するための連結部と、
前記収納容器と他の前記収納容器との前記周方向の相対回転を制限する回り止め部と、
を有することを特徴とする請求項１記載の収納容器付きスプール。
【請求項３】
前記連結部は、前記収納容器における前記軸線方向と交差する一側面側に少なくとも形成されていると共に、前記周方向に沿って延在し且つその一部が切り欠かれたような隙間を有し、
前記回り止め部は、他の前記収納容器を前記連結部により連結した際に、他の前記収納容器の前記隙間に差し込まれる差込部を含むことを特徴とする請求項２記載の収納容器付きスプール。
【請求項４】
前記収納容器は、環状を呈しており、
前記連結部は、他の前記収納容器の内周面に前記軸線方向に係合する係合部であることを特徴とする請求項２又は３記載の収納容器付きスプール。
【請求項５】
前記回り止め部は、前記繊維体に関する情報を表示する表示部であって、
前記収納容器の外周面の外側に位置するものを含むことを特徴とする請求項２〜４の何れか一項記載の収納容器付きスプール。
【請求項６】
前記収納容器は、前記スプールをその内部に配置する本体部と、当該本体部に着脱自在に取り付けられる蓋部と、を含んで構成されることを特徴とする請求項１〜５の何れか一項記載の収納容器付きスプール。
【請求項７】
前記開口は、前記本体部又は前記蓋部のいずれか一方に形成されており、
前記収納容器は、前記本体部又は前記蓋部の他方に設けられ、前記開口を挿通した前記繊維体を掛止するための掛止部を有し、
前記掛止部は、前記収納容器の所定の位置に形成された被係合部と前記周方向に係合する位置決め部を含むことを特徴とする請求項６記載の収納容器付きスプール。
【請求項８】
前記掛止部は、前記蓋部と一体に形成されるものであって、前記本体部の外表面に対面するように突出する突出部を含み、前記外表面と前記突出部との間で前記繊維体を係止することを特徴とする請求項７記載の収納容器付きスプール。
【請求項９】
前記突出部は、その先端側から基端側に向かって前記外表面と前記突出部との間が狭くなるように設けられていることを特徴とする請求項８記載の収納容器付きスプール。
【請求項１０】
前記スプールにおいて前記軸線方向と交差する一方のスプール側面側には、前記繊維体を前記胴部の前記内周面に案内するガイド部が設けられていることを特徴とする請求項１〜９の何れか一項記載の収納容器付きスプール。
【請求項１１】
前記胴部の前記外周面の前記一方のスプール側面側に、突出するように形成されたフランジ部を有し、
前記ガイド部は、前記フランジ部の径方向外側の先端から当該フランジ部の外側の側面を通り前記胴部の前記内周面に至る溝であることを特徴とする請求項１０記載の収納容器付きスプール。
【請求項１２】
前記フランジ部の内側の側面には、前記フランジ部の径方向外側の前記先端から前記胴部の前記外周面に向けて、前記径方向に対し傾斜して延在する段差が設けられており、
前記段差を介して、前記径方向外側における前記フランジ部の厚さが前記径方向内側における前記フランジ部の厚さよりも薄いことを特徴とする請求項１１記載の収納容器付きスプール。
【請求項１３】
前記胴部の前記内周面には、前記繊維体の一端側を接着固定する固定部が設けられていることを特徴とする請求項１０〜１２の何れか一項記載の収納容器付きスプール。
【請求項１４】
前記スプールは、前記胴部の前記内周面より内側が中空とされた環状体であることを特徴とする請求項１〜１３の何れか一項記載の収納容器付きスプール。
【請求項１５】
前記繊維体は、釣糸であることを特徴とする請求項１〜１４の何れか一項記載の収納容器付きスプール。
【発明の詳細な説明】
【技術分野】
【０００１】
本発明は、繊維体を巻回して収納する収納容器付きスプールに関する。
【背景技術】
【０００２】
従来、収納容器付きスプールとしては、繊維体が巻回されるスプールと、スプールを回動可能に収納する収納容器と、当該収納容器に設けられ繊維体を押圧する押圧片と、を備えるものが知られている（例えば、特許文献１参照）。このような収納容器付きスプールでは、押圧片により繊維体を押圧することで、繊維体がスプールから外れるのを防止することが図られている。
【先行技術文献】
【特許文献】
【０００３】
【特許文献１】特開２００３−１６４２４５号公報
【発明の概要】
【発明が解決しようとする課題】
【０００４】
しかしながら、上述したような従来技術においては、スプールに巻回された繊維体を引き出す際に、当該繊維体に充分な張力（テンション）を付与することができず、よって、引き出さされた繊維体に巻き癖がついてしまうおそれがある。また、上述したような従来技術では、収納容器に収納されたスプールが使用者の意図に反して回転してしまい、繊維体を引き出し過ぎてしまい易く、よって、所望の長さの繊維体を引き出すことが困難である。
【０００５】
そこで、本発明は、所望の長さの繊維体を適切且つ容易に引き出すことができる収納容器付きスプールを提供することを課題とする。
【課題を解決するための手段】
【０００６】
上記課題を解決するために、本発明に係る収納容器付きスプールは、筒状の胴部を有し、当該胴部の外周面に繊維体が巻回されるスプールと、スプールを胴部の周方向に回転可能に収納すると共に、繊維体を挿通させ外部に導出する開口が形成された収納容器と、を備え、胴部の内周面は、胴部の軸線方向視において多角形状を呈する多角形部を有し、収納容器には、スプールの回転を制限するように、多角形部に当接し且つ胴部を外周面側へ付勢する弾性手段が設けられており、弾性手段は、周方向に沿って延びることで弾性を有するアームであって、基端側が収納容器と連結される共に、多角形部に摺動可能に当接する摺動部を先端側に有することを特徴とする。
【０００７】
この本発明に係る収納容器付きスプールでは、スプールにおける胴部の内周面が多角形部を有していることから、当該多角形部に当接し且つ多角形部を外周面側に付勢する弾性手段の変位量はスプールの回転に従って変化する。すなわち、多角形部において多角形状の辺に相当する部分に弾性手段が当接する場合には、多角形部において多角形状の頂点に相当する部分に弾性手段が当接する場合に比し、その変位量は大きくなる。従って、弾性手段は、多角形部の多角形状に応じた強弱のある付勢力でもって、スプールの回転を制限することになる。これにより、繊維体に充分な張力を付与させつつ当該繊維体を多角形状の辺に応じた長さずつで連続して容易に引き出すことができると共に、意図しないスプールの回転を抑制することが可能となる。従って、本発明の収納容器付きスプールによれば、所望の長さの繊維体を適切且つ容易に引き出すことができる。
【０００８】
ここで、弾性手段は、周方向に沿って延びることで弾性を有するアームであって、基端側が収納容器と連結される共に、先端側には多角形部に摺動可能に当接する摺動部を有することから、多角形部の多角形状に応じた強弱のある付勢力でもって、スプールの回転を制限するという上記作用を好適に発揮することができる。
【０００９】
また、収納容器とは別の他の収納容器を軸線方向に重ねて着脱自在に連結するための連結部と、収納容器と他の収納容器との周方向の相対回転を制限する回り止め部と、を有することが好ましい。この場合、連結部により別の収納容器付きスプールを軸線方向に重ねて着脱自在に連結することができると共に、かかる連結状態において、回り止め部により収納容器同士の相対回転を制限することが可能となる。これにより、複数の収納容器付きスプールを持ち運び易く且つこれらの中から適宜な繊維体を容易に引き出すことができる。
【００１０】
また、連結部は、収納容器における軸線方向と交差する一側面側に少なくとも形成されていると共に、周方向に沿って延在し且つその一部が切り欠かれたような隙間を有し、回り止め部は、他の収納容器を連結部により連結した際に、他の収納容器の隙間に差し込まれる差込部を含むことが好ましい。この場合、他の収納容器付きスプールを軸線方向に重ねて着脱自在に連結すると共に収納容器同士の相対回転を制限するという上記作用を好適に発揮することができる。
【００１１】
また、収納容器は、環状を呈しており、連結部は、他の収納容器の内周面に軸線方向に係合する係合部であることが好ましい。これにより、収納容器の軸線方向のコンパクト化が可能となる。
【００１２】
また、回り止め部は、繊維体に関する情報を表示する表示部であって、収納容器の外周面の外側に位置するものを含むことが好ましい。この場合、回り止め部により繊維体に関する情報を表示することができる。加えて、回り止め部が収納容器の外周面の外側に位置するものを含むことより、別の収納容器付きスプールを軸線方向に重ねて連結した状態においても、収納した繊維体の情報を外周面に視認可能に表示することができる。特に、かかる連結状態において外周面での表示を一列に揃えることが可能となり、よって、繊維体に関する情報の表示を一層見易くなり当該情報を即時に認識することができる。
【００１３】
また、収納容器は、スプールをその内部に配置する本体部と、本体部に着脱自在に取り付けられる蓋部と、を含んで構成されることが好ましい。これにより、例えば収納容器付きスプールを廃棄する際に、スプールと本体部と蓋部との分別を容易に行うことができる。
【００１４】
また、開口は、本体部又は蓋部のいずれか一方に形成されており、収納容器は、本体部又は蓋部の他方に設けられ、開口を挿通した繊維体を掛止するための掛止部を有し、掛止部は、収納容器の所定の位置に形成された被係合部と周方向に係合する位置決め部を含むことが好ましい。この場合、位置決め部と被係合部とが周方向に係合することで、掛止部は、収納容器において周方向の一定の位置に配置されることとなる。これにより、収納容器が、本体部と蓋部とを有するいわゆる別体構造の場合に、掛止部によって、開口を挿通し外部に導出した繊維体を掛止することができると共に繊維体の導出する長さを一定に保つことが可能となる。
【００１５】
また、掛止部は、蓋部と一体に形成されるものであって、本体部の外表面に対面するように突出する突出部を含み、外表面と突出部との間で繊維体を係止することが好ましい。この場合、開口を挿通し外部に導出した繊維体を掛止すると共に繊維体の導出する長さを一定に保つという上記作用を好適に発揮することができる。
【００１６】
また、突出部は、その先端側から基端側に向かって外表面と突出部との間が狭くなるように設けられていることが好ましい。この場合、本体部の外表面と突出部との間において突出部の先端側から容易に繊維体を進入させることができると共に、突出部の基端側に繊維体を引き入れることで当該繊維体を確実に係止させることが可能となる。
【００１７】
また、スプールにおいて軸線方向と交差する一方のスプール側面側には、繊維体を胴部の内周面に案内するガイド部が設けられていることが好ましい。ここで、引き出される繊維体に充分な張力を付与するためには、繊維体の一端側をスプールに確実に固定することが必要となる。一方、胴部の外周面で繊維体の一端側を固定する場合、当該固定の影響が巻き乱れとなって現れるおそれがある。特に、接着剤で繊維体を胴部の外周面に固定すると、塗布した接着剤の上に繊維体を巻回することになるため、繊維体の一端側以外に接着剤が付着することがある。従って、上述のように、ガイド部が設けられていることにより、当該ガイド部によって繊維体の一端側を胴部の内周面に案内することができる。その結果、例えば、胴部の内周面にて、繊維体をスプールに確実に固定することが可能となり、ひいては、充分な張力を付与しながら繊維体を引き出す際に、当該繊維体がスプールから抜け出ることが防止される。
【００１８】
また、胴部の外周面の一方のスプール側面側に、突出するように形成されたフランジ部を有し、ガイド部は、フランジ部の径方向外側の先端から当該フランジ部の外側の側面を通り胴部の内周面に至る溝であることが好ましい。これにより、例えば、ガイド部で繊維体の一端側を内周面に案内し、当該内周面にて繊維体の一端側を固定する場合、ガイド部が溝であることより、繊維体を容易に胴部の内周面に案内することができる。
【００１９】
また、フランジ部の内側の側面には、フランジ部の径方向外側の先端から胴部の外周面に向けて、径方向に対し傾斜して延在する段差が設けられており、段差を介して、径方向外側におけるフランジ部の厚さが径方向内側におけるフランジ部の厚さよりも薄いことが好ましい。この場合、段差により、繊維体の先端を容易に案内して当該繊維体を胴部の外周面の軸線方向の端部側から巻き始めることができ、巻き乱れ無くきれいに繊維体を整列巻きすることが可能となる。
【００２０】
また、胴部の内周面には、繊維体の一端側を接着固定する固定部が設けられていることが好ましい。このように、繊維体の一端側を接着固定する固定部が胴部の内周面に設けられていることより、繊維体をスプールに確実に固定することができると共に、巻回された繊維体が巻き乱れたり、繊維体の一端側以外に接着剤が付着したりするのを防止することが可能となる。
【００２１】
また、スプールは、胴部の内周面より内側が中空とされた環状体であることが好ましい。この場合、胴部の内周面より内側にリブが設けられたスプールに比し、スプールを製造するための原料の使用量を低減することができる。
【００２２】
また、繊維体としては、具体的には、釣糸が挙げられる。
【発明の効果】
【００２３】
本発明によれば、所望の長さの繊維体を適切且つ容易に引き出すことが可能となる。
【図面の簡単な説明】
【００２４】
【図１】本発明の一実施形態に係る収納容器付きスプールを示す斜視図である。
【図２】図１の収納容器付きスプールの分解斜視図である。
【図３】図１の収納容器付きスプールにおけるスプールを示す図である。
【図４】図３のスプールにおける一方のフランジにおいて内、外側の側面を示す図である。
【図５】図１の収納容器付きスプールにおける収納容器の本体を示す図である。
【図６】図１の収納容器付きスプールにおける収納容器の蓋を示す図である。
【図７】図１の収納容器付きスプールにおける突出部と外周壁との間を示す拡大断面図である。
【図８】図１の収納容器付きスプールにおいて釣糸を引き出す場合について説明するための図である。
【図９】図１の収納容器付きスプールにおいて釣糸をさらに引き出す場合について説明するための図である。
【図１０】図１の収納容器付きスプールにおいてスプールに釣糸を巻回する場合について説明するための図である。
【図１１】図１の収納容器付きスプールに同様な収納容器付きスプールを重ねて連結する場合について説明するための図である。
【図１２】図１の収納容器付きスプールに同様な収納容器付きスプールを重ねて連結したときの側面図である。
【発明を実施するための形態】
【００２５】
以下、添付図面を参照して、本発明の好適な実施形態について詳細に説明する。なお、図面の説明において同一要素には同一符号を付し、重複する説明は省略する。
【００２６】
まず、本発明の一実施形態に係る収納容器付きスプールの構成について説明する。
【００２７】
図１は本発明の一実施形態に係る収納容器付きスプールを示す斜視図であり、図２は図１の収納容器付きスプールの分解斜視図である。この収納容器付きスプールは、繊維体を巻回して収納するものである。繊維体としては、例えば、綿、羊毛等の天然繊維、ナイロン、ポリエステル、ポリエチレン等の合成繊維、金属繊維、ガラス繊維、若しくはこれらを組み合わせたものが挙げられ、その太さや強さは限定されず種々の糸状を呈するものが用いられる。図１及び図２に示すように、特に本実施形態の収納容器付きスプール１では、釣りの利用に供する釣糸（繊維体）Ｌを巻回して収納する。この収納容器付きスプール１は、釣糸Ｌを巻回するスプール２と、当該スプール２を収納する収納容器３と、を備えている。
【００２８】
スプール２は、例えば樹脂からなり、ここでは、巻回される釣糸Ｌの視認性の点で好ましいとして、透明樹脂により形成されている。このスプール２は、図３（ａ）のスプールの上面図、（ｂ）のｂ−ｂ矢視図に示すように、胴部２１とフランジ２２とを有し、胴部２１の内周面２３より内側が中空とされた非リブ構造の環状体となっている。
【００２９】
胴部２１は、円筒形状を呈しており、胴部２１の外周面２４には、釣糸Ｌが例えば整列巻きで巻回される。一方、内周面２３には、釣糸Ｌの巻回の起点側（一端側）が例えば瞬間接着剤で接着固定される。具体的には、内周面２３には、釣糸Ｌの一端側を接着固定する固定部２５が設けられている（図１０参照）。ここでは、内周面２３の径を約５０ｍｍとし、胴部２１の厚さを約２ｍｍとしている。この内周面２３において軸線方向の一端側の領域には、軸線方向視において正十二角形を呈する多角形部２６が設けられている。
【００３０】
フランジ２２は、所定の厚さを有するリング状を呈し、胴部２１の外周面２４において軸線方向の両端部に、径方向外側に突出するようにそれぞれ形成されている。ここでは、フランジ２２の外形を約６４ｍｍとし、厚さを約１．５ｍｍとしている。各フランジ２２の外周面における周方向の同位置には、径方向外側に開口する凹部２７がそれぞれ形成されている。ここでの凹部２７の深さは、約２ｍｍである。
【００３１】
図４（ａ）のフランジの外側の側面図に示すように、フランジ２２のうち一方のフランジ（フランジ部）２２Ｒにおいて外側の側面（一方のスプール側面）２２ａには、凹部２７の底から胴部２１の内周面２３に至る溝（ガイド部）２８が形成されている。この溝２８の幅は、釣糸Ｌの直径と略同じにされている。他方、図４（ｂ）のフランジの内側の側面図に示すように、内側の側面２２ｂには、上記溝２８に連続し、凹部２７の底から胴部２１の外周面２４に向けて、径方向に対し傾斜して延在する段差２９が設けられている。この段差２９は、軸線方向視において胴部２１の外周面２４に連接するように延在している。そして、段差２９を介して、径方向外側におけるフランジ２２の厚さが、径方向内側における厚さよりも薄くなっている（図１０参照）。すなわち、このようなフランジ２２の肉厚差による段差２９が内側の側面２２ｂに形成されるように、フランジ２２の内側が切り欠かれている。
【００３２】
図１及び図２に戻り、収納容器３は、スプール２を胴部２１の周方向に回転可能に収納するものである。具体的には、収納容器３は、スプール２の形状に応じた環状を呈し、内部にスプール２を略同軸で収納する。なお、この収納容器３は、スプール２を陳列する際のいわゆるパッケージ（包装）として扱われるものである。収納容器３は、その内部にスプール２を配置する本体（本体部）４と、本体４に着脱自在に取り付けられる蓋（蓋部）５とを有している。
【００３３】
本体４は、例えば樹脂からなり、ここでは、スプール２と同様に視認性の点で好ましいとして、透明樹脂により形成されている。この本体４は、上方（軸線方向における一端側）に開口する環状を呈している。具体的には、図５（ａ）の本体の上面図、（ｂ）のｂ−ｂ矢視図に示すように、本体４は、底壁４１と内周壁４２と外周壁４３とを有し、内周壁４２及び外周壁４３が底壁４１を介して結合され形成されている。
【００３４】
底壁４１は、リング状を呈し、径方向内側の端部の一部には、径方向外側に行くに従って拡がるような扇状に切り欠かれた切欠き４４が形成されている。底壁４１の上方側の面４１ａにおいて径方向内側の端部には、切り欠き４４を挟んで周方向に沿うように、上記内周壁４２が設けられている。つまり、内周壁４２は、隙間（被係合部）４５を有して周方向に延在している。一方、底壁４１の下方（軸線方向における他端側）側の面４１ｂにおいて径方向内側の端部には、切欠き４４を挟んで周方向に沿うように延在する係合部（連結部）４６が形成されている。つまり、係合部４６は、隙間４５と同様な隙間４７を有して周方向に延在している。この係合部４６は、内周壁４２よりも径方向内側に位置しており、下方に突出すると共にその先端（下端）が径方向外側に突出して軸方向の断面が略Ｌ字状となっている（図７参照）。
【００３５】
内周壁４２の径方向内側の面４２ａには、径方向内側に盛り上がる凸部６３（図２参照）が形成されている。この凸部６３は、径方向内側の面４２ａの上方側の端部に周方向に延在しており、同様な他の収納容器を重ねて連結する際に、他の収納容器の係合部と係合する。内周壁４２の径方向外側の面４２ｂには、内周壁４２に肉厚差を設けることで段差６４が形成されている。具体的には、径方向外側の面４２ｂにおいて、上方側の径はスプール２の多角形部２６の多角形状に内接する内接円の径よりも若干小さいものとなっている一方、下方側の径は当該内接円よりも若干大きいものとなっている。この段差６４により、スプール２を本体４に配置する際に、スプール２の多角形部２６が形成された側の端部が上方に位置しないと、当該スプール２を収容できないようになっている。
【００３６】
内周壁４２の周方向における一端面４２ｃには、周方向に沿って延びるアーム（弾性手段）４８が設けられている。このアーム４８は、収納されたスプール２の多角形部２６に当接し（図８参照）且つ胴部２１を外周面２４側に付勢する。
【００３７】
外周壁４３には、軸線方向に延在すると共に上方に開口するスリット（開口）４９が形成されている。スリット４９は、釣糸Ｌを挿通させ当該釣糸Ｌを外部に導出する。このスリット４９は、釣糸Ｌを好適に外部に引き出すため、上述のように軸線方向に延在すると共に、上方視において径方向外側に拡がるように傾斜して延在している。すなわち、スリット４９では、釣糸Ｌを引き出す際に当該釣糸Ｌとスリット４９との接触で釣糸Ｌに負荷される不必要な力が低減されている。この外周壁４３の上方側の端部には、蓋５と係合して当該蓋５を取り付けるための取付部６１が形成されている。
【００３８】
蓋５は、例えば樹脂からなり、図１及び図２に示すように、本体４に取付部６１を介して着脱自在に取り付けられる。この蓋５は、かかる取り付けにより、本体４の内部に配置されたスプール２を当該内部に留置させて収納すると共に、スリット４９の開口を塞いで挿通された釣糸Ｌが当該スリット４９の上方から抜け出ないようにする。
【００３９】
図６（ａ）の蓋の上面図、（ｂ）のｂ−ｂ矢視図に示すように、蓋５は、リング状の上板５１と、当該上板５１の周縁に結合された外周板５２とで構成されている。上板５１の一部には、径方向内側に突出する差込部（回り止め部；表示部；位置決め部）５３が設けられている。具体的には、差込部５３は、蓋５を本体４に取り付けた際に本体４の係合部４６よりも径方向内側の位置に至るまで径方向内側に突出しており、先端に行くに従って幅が狭くなるような扇状となっている。これにより、差込部５３は、蓋５を本体４に取り付けた際に、内周壁４２の隙間４５に差し込まれ、差込部５３と隙間４５とが周方向に係合する（図２参照）。一方、差込部５３は、収納容器付きスプール１に同様な他の収納容器付きスプール１Ｄ（以下、同様な構成のため、収納容器付きスプール１Ｄに関連する符号には全て最後にＤを付す）を重ねて連結する際に、他の収納容器付きスプール１Ｄの係合部４６Ｄの隙間４７Ｄに差し込まれ、差込部５３と隙間４７Ｄとが周方向に係合する（図１１参照）。差込部５３の表面には、例えば釣糸Ｌの号数を表示するラベル５４が設けられている。外周板５２は、蓋５を本体４に取り付ける際に、本体４の取付部６１に係合する。
【００４０】
図６及び図７に示すように、外周板５２には、突出部（掛止部；表示部）５５が設けられている。この突出部５５は、差込部５３に連続して蓋５に一体に形成されており、蓋５を本体４に取り付けた際に、外周壁４３の外周面（外表面）４３ａに対面するように下方に突出している。つまり、突出部５５は、蓋５を本体４に取り付けた際に外周面４３ａの径方向外側に位置し、当該突出部５５と外周面４３ａとの間でスリット４９を挿通した釣糸Ｌを掛止する。また、蓋５を本体４に取り付けた際に、突出部５５の先端側から基端側に向かって、当該突出部５５と外周面４３ａとの間が狭くなるように構成されている。具体的には、突出部５５が図７における下側に向かって若干に拡がるようなテーパ状を呈して突出していると共に、外周壁４３の外周面４３ａにおいて上方側の端部が上方に行くに従ってその径が大きくなっている。なお、外周面４３ａにおいて下方側の端部は、釣糸Ｌを掛止し易くするために、下方に行くに従ってその径が大きくなっている。そして、この突出部５５の表面にも、差込部５３に同様な例えば釣糸Ｌの号数を表示するラベル５６が設けられている（図１２参照）。
【００４１】
前述したように、収納容器付きスプール１では、スプール２の内周面２３に多角形部２６が形成されており、収納容器３の本体４には多角形部２６に当接し且つ胴部２１を外周面２４側へ付勢するアーム４８が設けられている。
【００４２】
具体的には、図５及び図８に示すように、アーム４８は、周方向に沿って延在し、その基端４８ａ側が内周壁４２の一端面４２ｂと連結される一方、先端４８ｂ側に、収納されたスプール２の多角形部２６に摺動可能に当接する摺動部６２を有している。このアーム４８は、周方向に沿って延在することで弾性を有しており、かかる弾性により多角形部２６を径方向外側に付勢する。摺動部６２は、上方視において径方向外側に凸の半円形状を呈している。なお、アーム４８は、差込部５３を隙間４５に差し込んだ際に、当該差込部５３の下面に接触しない位置に設けられている。
【００４３】
次に、このような構成を有する収納容器付きスプール１において釣糸Ｌを引き出す場合について説明する。
【００４４】
収納容器付きスプール１においては、スリット４９から導出した釣糸Ｌを引っ張ることにより、スプール２が収納容器３内で回転し、釣糸Ｌが収納容器付きスプール１から引き出される。
【００４５】
このとき、上述したように、アーム４８がスプール２の内周面２３の多角形部２６と当接し且つスプール２を径方向外側（外周面２４側）に付勢するため、スプール２の回転が制限され、よって、釣糸Ｌを引き出すことが制限される。これは、このようにアーム４８が当接し且つ付勢することにより、以下の摩擦力が生じるためである。すなわち、アーム４８の摺動部６２と多角形部２６との間に摩擦力が生じるのに加え、多角形部２６においてアーム４８に当接する側と反対側の領域が収納容器３の本体４の内周壁４２に押し付けられることになり、当該領域と内周壁４２との間にも摩擦力が生じるためである。
【００４６】
ここで、釣糸Ｌをさらに引っ張ることにより、スプール２が収納容器３内で当該収納容器に対してさらに回転し、釣糸Ｌが収納容器付きスプール１からさらに引き出されると、上述したように、アーム４８が多角形部２６に当接することから、アーム４８の撓み量（変位量）はスプール２の回転に従って変化する。すなわち、多角形部２６において多角形状の辺に相当する部分にアーム４８が当接する場合（図９（ａ）参照）と、多角形部２６において多角形状の頂点に相当する面にアーム４８が当接する場合（図９（ｂ）参照）と、では、その撓み量が異なる。例えば後者の場合では、アーム４８の撓み量は、前者の場合でのアーム４８の撓み量に比して小さくなる。よって、アーム４８の付勢力は、多角形部２６と当接する位置で変化する、つまり、アーム４８は、多角形状に応じた強弱のある付勢力でもって、スプールの回転を制限する。従って、釣糸Ｌを引き出す場合、アーム４８による付勢力が比較的弱くスムーズにスプール２が回転し、釣糸Ｌが比較的スムーズに引き出される状態（図９（ａ）参照）と、アーム４８による付勢力が比較的強くスプール２が回転し難く、釣糸Ｌが比較的引き出され難い状態（図９（ｂ）参照）と、が連続的に繰り返し生じることになる。
【００４７】
従って、釣糸Ｌに充分な張力を付与させつつ当該釣糸Ｌを多角形部２６の多角形状の辺に応じた長さずつで連続して容易に引き出すことができると共に、意図しないスプール２の回転を抑制することが可能となる。さらに、前述した状態の繰り返し（すなわち、釣糸Ｌが比較的スムーズに引き出される状態と釣糸Ｌが比較的引き出され難い状態との繰り返し）により、釣糸Ｌを引き出すに際して使用者は、いわゆるクリック感を感じることができ、所望の長さの釣糸Ｌを適切且つ容易に引き出すことができる。
【００４８】
さらに、例えば釣糸Ｌを引き出した後には、上述したように、スリット４９を挿通し外部に導出した釣糸Ｌが、突出部５５により掛止されると共に外周面４３ａと突出部５５との間で係止される（図７参照）。このとき、上述のように、差込部５３と内周壁４２の隙間４５とが周方向に係合することにより、蓋５と本体４との相対回転が抑止されているため、突出部５５が収納容器３の周方向の一定の位置に常に配置される。従って、スリット４９を挿通し外部に導出した釣糸Ｌを突出部５５に確実に掛け止めることができると共に、釣糸Ｌの導出する長さを一定に保つことが可能である。
【００４９】
このとき、上述したように、突出部５５は、その先端側から基端側に向かうに従い、外周面４３ａと突出部５５との間が狭くなっている。これにより、外周面４３ａと突出部５５との間において突出部５５の先端側から容易に釣糸Ｌを進入させることができると共に、突出部５５の基端側に釣糸Ｌを引き入れることで、釣糸Ｌを確実に係止することが可能である。また、かかる間において釣糸Ｌを係止する位置を変えることで、釣糸Ｌの係止の具合や程度を適宜に調整することもできる。なお、一般的に、収納容器が本体と蓋とを有するようないわゆる別体構造の場合には、外部に導出する釣糸Ｌを掛止しつつその長さを一定に保つことがその構造等の点から難しいため、上記効果、すなわち、釣糸Ｌを確実に掛止すると共に釣糸Ｌの導出する長さを一定に保つという効果は特に顕著となる。
【００５０】
次に、収納容器付きスプール１においてスプール２に釣糸Ｌを巻回する場合について説明する。なお、図１０の（ａ）〜（ｃ）の上段は上面図、（ａ）〜（ｃ）の下段は縦断面図である。
【００５１】
スプール２に釣糸Ｌを巻回する場合、図１０（ａ）に示すように、まず、一方のフランジ２２Ｒにおける凹部２７を介して釣糸Ｌの糸巻（不図示）側を胴部２１に導くと共に、段差２９に沿って釣糸Ｌの糸巻側を胴部２１の外周面２４に導いて、外周面２４において軸線方向の一端側（図示左側）から釣糸Ｌを巻き始める。続いて、図１０（ｂ）に示すように、外周面２４の軸線方向における一端側から他端側に向けて順次に釣糸Ｌを巻回する（整列巻き）。なお、ここでは、釣糸Ｌに負荷される張力を抑制して巻回するソフト巻きを採用している。そして、図１０（ｃ）に示すように、釣糸Ｌの巻き始めの一端側を溝２８に沿って内周面２３に導き、内周面２３にて固定部２５により釣糸Ｌの巻き始めの一端側を接着固定する。
【００５２】
ここで、従来、引き出される釣糸Ｌに充分な張力を付与するためには、釣糸Ｌの一端側をスプールに確実に固定するのが必要であることから、胴部の外周面にて釣糸Ｌの一端側を固定することが一般的である。しかし、この場合には、釣糸Ｌが重なり合って巻回されるため、固定の影響が巻き乱れとなって現れるという問題がある。特に、接着剤で釣糸Ｌを外周面２４に固定すると、塗布した接着剤の上に釣糸Ｌが巻回されるため、釣糸Ｌの一端側以外に接着剤が付着するという問題がある。
【００５３】
しかしながら、本実施形態の収納容器付きスプール１では、上述のように、溝２８を設けることにより、釣糸Ｌの一端側を内周面２３に容易に案内でき、内周面２３にて固定部２５で釣糸Ｌの一端側を接着固定するのを好適に実施することができると共に、フランジ２２Ｒの外側の側面２２ａから径方向外側に釣糸Ｌが邪魔に膨らむことを抑止できる。
【００５４】
さらに、釣糸Ｌが溝２８に進入し案内されることで、釣糸Ｌとスプール２との摩擦力を増大させて釣糸Ｌのスプールに対する固定力を高めることできる。これは、上述したように、溝２８の幅が釣糸Ｌの直径と略同じにされているため、釣糸Ｌとスプール２とは溝２８の底面だけでなく溝２８の両側面でも互いに接触する、つまり、接触面積が増大されるからである。
【００５５】
従って、本実施形態によれば、上記問題を解決して、釣糸Ｌをスプール２に確実且つ強固に固定でき、ひいては、充分な張力を付与しながら釣糸Ｌを引き出す際に、当該釣糸Ｌがスプールから抜け出ることが防止されると共に、釣糸Ｌを最後まで確実且つ適切に使い尽くすことができる。
【００５６】
さらに、本実施形態の収納容器付きスプール１では、上述のように、段差２９を設けることにより、当該段差２９に沿って釣糸Ｌの糸巻側を胴部２１の外周面２４に案内し、外周面２４において軸線方向の一端側から釣糸Ｌを巻き始めることができ、これにより、巻き乱れ無くきれいに釣糸Ｌを整列巻きすることが可能となる。
【００５７】
次に、この収納容器付きスプール１に同様な収納容器付きスプールを連結する場合について説明する。
【００５８】
図１１に示すように、収納容器付きスプール１における収納容器３の係合部４６と収納容器付きスプール１に同様な他の収納容器付きスプール１Ｄにおける収納容器３Ｄの凸部６３Ｄとを軸線方向に係合することにより、収納容器３，３Ｄが同軸で重ねられて着脱自在に連結され、よって、収納容器付きスプール１に同様な収納容器付きスプール１Ｄが同軸で重ねられて着脱自在に連結される。
【００５９】
このとき、上述のように、蓋５には差込部５３が形成されている一方、係合部４６は周方向に沿って延在し且つ隙間４７を有しているため、収納容器付きスプール１における係合部４６の隙間４７に、収納容器付きスプール１Ｄにおける蓋５Ｄの差込部５３Ｄが差し込まれる。すなわち、係合部４６の隙間４７に差込部５３Ｄが差し込まれない場合には、係合部４６と差込部５３Ｄとが干渉して係合部４６と凸部６３Ｄとが係合しないため、係合部４６の隙間４７に差込部５３Ｄが差し込まれる状態でのみ、係合部４６と凸部６３Ｄとが軸線方向に係合されることとなる。
【００６０】
従って、収納容器付きスプール１では、収納容器付きスプール１に同様な他の収納容器付きスプール１Ｄを軸線方向に重ねて着脱自在に連結することができると共に、かかる連結状態において収納容器３の相対回転を制限しつつ当該収納容器３を周方向に位置決めできる。ひいては、複数の収納容器付きスプールを持ち運び易く且つこれらの中から適宜な釣糸Ｌを容易に引き出すことができる。
【００６１】
さらに、上述のように、差込部５３にラベル５４が設けられているため、個別の収納容器付きスプール１では、釣糸Ｌの情報を差込部５３にて表示し視認することができる。これに加えて、図１２に示すように、突出部５５にもラベル５６が設けられているため、複数の収納容器付きスプール１を連結した状態においても収納した釣糸Ｌの情報を本体４の外周面４３ａに視認可能に表示することができる。加えて、かかる連結状態において、収納容器３が周方向に位置決めされることより突出部５５の周方向位置が一列に揃うため、外周面４３ａでのラベル５６が一列に揃い当該ラベル５６を一層見易くすることができ、釣糸Ｌの情報を即時に認識することができる。
【００６２】
なお、本実施形態では、上述したように、係合部４６が隙間４７有し、当該隙間４７に他の収納容器付きスプール１Ｄの差込部５３Ｄが差し込まれるように構成されていることから、係合部４６は、連結部としての機能だけでなく、回り止め部としての機能も発揮するものである。また、上述したように、差込部５３にはラベル５４が設けられていることから、差込部５３は、回り止め部としての機能だけでなく、表示部としての機能も発揮するものである。すなわち、これらは相互に関連して一体に作用している。
【００６３】
ちなみに、釣糸Ｌにあっては、その種類の選別が天候等の釣り現場での環境に応じて当該現場で行われることが多いことから、釣糸Ｌを釣り現場で選別する際の容易性や利便性の向上が強く求められている。これに関し、本実施形態では、上述したように、連結部、回り止め部、及び表示部が設けられていることにより、かかる容易性や利便性が高められ、よって、所望なときに所望な場所で適宜な釣糸Ｌを容易且つ迅速に引き出すことができる。
【００６４】
以上、本実施形態によれば、スプール２における胴部２１の内周面２３が多角形部２６を有していることより、当該多角形部２６に当接し且つ多角形部２６を外周面２４側に付勢するアーム４８の撓み量はスプール２の回転に従って変化するため、アーム４８は、多角形部２６の多角形状に応じた強弱のある付勢力でもって、スプール２の回転を制限することになる。これにより、釣糸Ｌに充分な張力を付与させつつ当該釣糸Ｌを多角形状の辺に応じた長さずつで連続して容易に引き出すことができると共に、意図しないスプール２の回転を抑制することが可能となる。
【００６５】
従って、所望の長さの釣糸Ｌを適切且つ容易に引き出すことができ、その結果、引き出さされた釣糸Ｌから巻き癖が好適に除去され、且つ、釣糸Ｌを引き出し過ぎてしまうということが防止される。さらに、引き出さされた釣糸Ｌから巻き癖が好適に除去されることにより、釣糸Ｌが絡まることが抑制され、リールに巻き込む等の作業を迅速に行うことが可能となると共に、水中に投入された釣糸Ｌの弛みが低減され、魚信（いわゆる、あたり）に対する感度を高めることができる。
【００６６】
また、上述のように、収納容器付きスプール１は、スプール２と本体４と蓋５とを含んで構成されている。これにより、スプール２と本体４と蓋５との分別を容易にすることができ、例えば廃棄時の分別が促進され、地球環境への負荷を軽減することが可能となる。
【００６７】
ところで、従来の中空の環状体であるスプールでは、巻回された繊維体の熱収縮等で生じる応力により破壊され易く、よって、中空の環状体のスプールを実現することは困難であった。そこで、本実施形態では、胴部２１の厚さを従来の一般的なものよりも厚くしている。さらに、この破壊の起点がフランジの凹部であるのが多いことを見出し、フランジ２２の凹部２７の深さを従来の一般的なものよりも浅くしている。そして、上述したように、釣糸Ｌをソフト巻きにより巻回している。これらにより、本実施形態によれば、スプール２を中空の環状体とすることができ、その結果、スプールの樹脂使用量を低減させて地球環境への負荷を軽減することが可能である。
【００６８】
また、本実施形態では、上述のように、スプール２の内周面２３における多角形部２６の形状が正十六角形を呈している。このように多角形部２６が正十六角形である場合には、多角形部の厚さの成形時のむらを抑制することができると共に、アーム４８による付勢力の強弱、及びクリック感を好適に得ることが可能となる。
【００６９】
なお、上述したように、収納容器３は、スプール２を陳列する際のいわゆるパッケージ（包装）として扱われるものである。つまり、本実施形態は、パッケージに上述した様々な機能を搭載させてスプールに高い付加価値を持たせたものであり、市場のニーズにより適応する収納容器付きスプールとなっている。
【００７０】
以上、本発明の好適な実施形態について説明したが、本発明は上記実施形態に限定されるものではない。例えば、上記実施形態では、アーム４８によりスプール２の回転を制限したが、ゴム状のものやバネ状のものであってもよく、多角形部に当接し且つその弾性でもって胴部を付勢するものであればよい。
【００７１】
また、本実施形態では、収納容器３の軸線方向のコンパクト化の点で好ましいとして、断面Ｌ字状の係合部４６が径方向内側に凸の凸部６３Ｄに係合することにより、収納容器３に同様の収納容器３Ｄを重ねて連結したが、係合部を径方向内側に凸、凸部を断面Ｌ字状として収納容器３に同様の収納容器３Ｄを連結してもよく、種々の構成の凹凸構造により連結することができる。
【００７２】
また、本実施形態の収納容器付きスプール１では、多角形部２６は軸線方向視において正十二角形の形状を呈したが、多角形部の軸線方向視における形状は種々の多角形形状としてもよく、その形状に応じた強弱の付勢力が弾性手段により生じるものであればよい。
【００７３】
また、本実施形態の収納容器付きスプール１では、釣糸Ｌを巻回して収納したが、裁縫用の糸、紐、又は電気コード等にも適用することができる。
【００７４】
また、ラベル５４，５６は、釣糸Ｌの号数を表示したが、釣糸の号数に代えて又は加えて、釣糸の太さ、断面積、強さ、若しくはこれらの組み合わせたものを表示してもよい。
【符号の説明】
【００７５】
１，１Ｄ…収納容器付きスプール、２…スプール、３，３Ｄ…収納容器、４…本体（本体部）、５，５Ｄ…蓋（蓋部）、２１…胴部、２２ａ…一方のフランジにおける外側の側面（一方のスプール側面）、２２ｂ…一方のフランジにおける内側の側面、２２Ｒ…一方のフランジ（フランジ部）、２３…胴部の内周面、２４…胴部の外周面、２５…固定部、２６…多角形部、２８…溝（ガイド部）、２９…段差、４２ａ…内周壁の径方向内側の面、４３ａ…外周壁の外周面（外表面）、４５…隙間（被係合部）、４６，４６Ｄ…係合部（連結部）、４７，４７Ｄ…隙間、４８…アーム（弾性手段）、４９…スリット（開口）、５３，５３Ｄ…差込部（回り止め部，表示部，位置決め部）、５５…突出部（掛止部，表示部）、Ｌ…釣糸（繊維体）。
【図１】
2011153031.tif 000003
【図２】
2011153031.tif 000004
【図３】
2011153031.tif 000005
【図４】
2011153031.tif 000006
【図５】
2011153031.tif 000007
【図６】
2011153031.tif 000008
【図７】
2011153031.tif 000009
【図８】
2011153031.tif 000010
【図９】
2011153031.tif 000011
【図１０】
2011153031.tif 000012
【図１１】
2011153031.tif 000013
【図１２】
2011153031.tif 000014